(57)【要約】【課題】複数の周波数バンドの信号の受信に周波数バンドごとのＡ／Ｄ変換器を必要としない受信装置を提供すること。【解決手段】第１の周波数バンドの無線周波数信号を第１の所定周波数でダウンコンバートして第１のアナログ信号を出力する第１の周波数変換部と、第２の周波数バンドの無線周波数信号を第２の所定周波数でダウンコンバートして第２のアナログ信号を出力する第２の周波数変換部と、第１のアナログ信号と前記第２のアナログ信号とを合成して１つの合成アナログ信号を出力する合成部と、合成アナログ信号をＡ／Ｄ変換して合成デジタル信号を出力するＡ／Ｄ変換部と、合成デジタル信号を周波数シフト処理することにより、第１の周波数バンドのデジタル信号と第２の周波数バンドのデジタル信号とに分離してそれぞれを出力する分離部とを備える。【選択図】図１
2018170716.tif 000002
【特許請求の範囲】
【請求項１】
第１の周波数バンドの無線周波数信号と第２の周波数バンドの無線周波数信号とを受けて、それぞれをダウンコンバート及びＡ／Ｄ変換して、第１の周波数バンドのデジタル信号と第２の周波数バンドのデジタル信号とを出力する無線受信機（１）であって、
前記第１の周波数バンドの無線周波数信号を第１の所定周波数でダウンコンバートして第１のアナログ信号を出力する第１の周波数変換部（１１−１）と、
前記第２の周波数バンドの無線周波数信号を前記第１の所定周波数とは異なる第２の所定周波数でダウンコンバートして第２のアナログ信号を出力する第２の周波数変換部（１１−２）と、
前記第１のアナログ信号と前記第２のアナログ信号とを合成して１つの合成アナログ信号を出力する合成部（１２）と、
前記合成アナログ信号をＡ／Ｄ変換して合成デジタル信号を出力するＡ／Ｄ変換部（１３）と、
前記合成デジタル信号を周波数シフト処理することにより、前記第１の周波数バンドのデジタル信号と前記第２の周波数バンドのデジタル信号とに分離してそれぞれを出力する分離部（１４）とを備えた無線受信機。
【請求項２】
第１の周波数バンドと第２の周波数バンドによるＭｕｌｔｉ  Ｆｒｅｑｕｅｎｃｙ  Ｃｅｌｌ方式を用いた移動体通信の基地局を擬似して移動体通信端末と通信する擬似基地局装置に用いる無線受信機であって、
前記第１の周波数バンドの無線周波数信号を第１の所定周波数でダウンコンバートして第１のアナログ信号を出力する第１の周波数変換部と、
前記第２の周波数バンドの無線周波数信号を第２の所定周波数でダウンコンバートして第２のアナログ信号を出力する第２の周波数変換部と、
前記第１のアナログ信号と前記第２のアナログ信号とを合成して１つの合成アナログ信号を出力する合成部と、
前記合成アナログ信号をＡ／Ｄ変換して合成デジタル信号を出力するＡ／Ｄ変換部と、
前記合成デジタル信号を周波数シフト処理することにより、前記第１の周波数バンドのデジタル信号と前記第２の周波数バンドのデジタル信号とに分離してそれぞれを出力する分離部とを備え、
前記第１の所定周波数と前記第２の所定周波数は、前記第１の周波数バンドの中心周波数と前記第２の周波数バンドの中心周波数とに基づいた周波数であることを特徴とする無線受信機。
【請求項３】
第１の周波数バンドの無線周波数信号と第２の周波数バンドの無線周波数信号とを受けて、それぞれをダウンコンバート及びＡ／Ｄ変換して、第１の周波数バンドのデジタル信号と第２の周波数バンドのデジタル信号とを出力する無線受信方法であって、
前記第１の周波数バンドの無線周波数信号を第１の所定周波数でダウンコンバートして第１のアナログ信号を出力する第１の周波数変換段階と、
前記第２の周波数バンドの無線周波数信号を前記第１の所定周波数とは異なる第２の所定周波数でダウンコンバートして第２のアナログ信号を出力する第２の周波数変換段階と、
前記第１のアナログ信号と前記第２のアナログ信号とを合成して１つの合成アナログ信号を出力する合成段階と、
前記合成アナログ信号をＡ／Ｄ変換して合成デジタル信号を出力するＡ／Ｄ変換段階と、
前記合成デジタル信号を周波数シフト処理することにより、前記第１の周波数バンドのデジタル信号と前記第２の周波数バンドのデジタル信号とに分離してそれぞれを出力する分離段階とを備えた無線受信方法。
【発明の詳細な説明】
【技術分野】
【０００１】
本発明は、複数の周波数バンドの無線信号を同時に受信するための無線受信機に関する。
【背景技術】
【０００２】
携帯電話やデータ通信端末等の移動体通信端末で使用される無線通信方式であるＴＤ−ＳＣＤＭＡ（Time  Division  Synchronous  Code  Division  Multiple  Access）は標準化組織である３ＧＰＰ（Third  Generation  Partnership  Project）で規格化されている無線通信規格の一つであり、中国においてサービス運用が行われている。
【０００３】
ＴＤ−ＳＣＤＭＡでは、一波あたりの周波数帯域が１．６ＭＨｚと狭い（実際の使用周波数帯域は１．２８ＭＨｚ）為に、一波内に収容できるユーザ数が限られてしまう。そこでＴＤ−ＳＣＤＭＡでは、１つの基地局が複数の周波数バンドを管理し、ユーザ毎に異なる周波数バンドを割り当てる方式が定義され、３ＧＰＰでは、この方式をＭｕｌｔｉ  Ｆｒｅｑｕｅｎｃｙ  Ｃｅｌｌと呼称している。
【０００４】
Ｍｕｌｔｉ  Ｆｒｅｑｕｅｎｃｙ  Ｃｅｌｌ方式では、Ｐｒｉｍａｒｙ  ＦｒｅｑｕｅｎｃｙとＳｅｃｏｎｄａｒｙ  Ｆｒｅｑｕｅｎｃｙの２つの周波数バンドを使用する。
【０００５】
Ｐｒｉｍａｒｙ  Ｆｒｅｑｕｅｎｃｙは、基地局の配下にある全ての移動体通信端末が共通で使用する周波数バンドであり、報知情報を始めとする共通チャネルが配置されている。各移動体通信端末は通信を開始すると、最初にＰｒｉｍａｒｙ  Ｆｒｅｑｕｅｎｃｙ上の共通チャネルを使用して基地局と通信を行う。
【０００６】
次に基地局は、各移動体通信端末の個別チャネルを起動する際には、各移動体通信端末に対してそれぞれ異なる周波数バンドをＳｅｃｏｎｄａｒｙ  Ｆｒｅｑｕｅｎｃｙとして割当てる。
【０００７】
そして、それぞれの移動体通信端末と基地局との通信は、それぞれの移動体通信端末に割り当てられたＳｅｃｏｎｄａｒｙ  Ｆｒｅｑｕｅｎｃｙ上の個別チャネルを使用して行う。
【０００８】
ここで、Ｍｕｌｔｉ  Ｆｒｅｑｕｅｎｃｙ  Ｃｅｌｌ等の通信規格に対応した移動体通信端末を開発した場合、この開発した移動体通信端末が正常に通信を行えるか否かを試験する必要がある。このため、実際の基地局の動きを擬似する擬似基地局装置を試験対象の移動体端末と接続し、擬似基地局装置と移動体通信端末との間で通信を行なわせ、この通信の内容を確認する試験を行なっている。
【０００９】
このとき、擬似基地局装置が備える無線受信機では移動体通信端末から受信した無線周波数信号（ＲＦ信号）を周波数変換器によりダウンコンバートし、さらにＡ／Ｄ変換器によりデジタル信号に変換する。そして試験の実行に必要な信号処理はデジタル信号処理により行っている。
【００１０】
なお、３ＧＰＰにより規格化されたＴＤ−ＳＣＤＭＡおよびＭｕｌｔｉ  Ｆｒｅｑｕｅｎｃｙ  Ｃｅｌｌに関しては、例えば非特許文献１に記載されている。
【先行技術文献】
【非特許文献】
【００１１】
【非特許文献１】３ＧＰＰ  ＴＳ  ３４．１２２  Ｖ１１．９．０（２０１４−０９）  Ｒａｄｉｏ  ｔｒａｎｓｍｉｓｓｉｏｎ  ｒｅｃｅｐｔｉｏｎ（ＴＤＤ）（Ｒｅｌｅａｓｅ１１）
【発明の概要】
【発明が解決しようとする課題】
【００１２】
実際の基地局が通信しなければならない移動体通信端末は複数台だが、移動体通信端末を試験するための擬似基地局装置は最低１台の移動体通信端末との通信が行えれば良い。しかし、Ｍｕｌｔｉ  Ｆｒｅｑｕｅｎｃｙ  Ｃｅｌｌに関する試験を実施するには、Ｐｒｉｍａｒｙ  ＦｒｅｑｕｅｎｃｙとＳｅｃｏｎｄａｒｙ  Ｆｒｅｑｕｅｎｃｙの複数の周波数バンドを使用する。
【００１３】
したがって、１台の移動体通信端末との試験であっても無線受信機には、Ｐｒｉｍａｒｙ  Ｆｒｅｑｕｅｎｃｙの周波数バンドを処理するための周波数変換器とＡ／Ｄ変換器、Ｓｅｃｏｎｄａｒｙ  Ｆｒｅｑｕｅｎｃｙの周波数バンドを処理するための周波数変換器とＡ／Ｄ変換器が必要となる。このとき無線受信機の実装面積や消費電力、さらに拡張性などの点で、同時に受信する周波数バンドごとにＡ／Ｄ変換器がそれぞれ必要となるのは不利である。
【００１４】
そこで、本発明は、複数の周波数バンドの信号を同時に受信する受信装置において、周波数バンドごとのＡ／Ｄ変換器を必要としない受信装置を提供することを目的としている。
【課題を解決するための手段】
【００１５】
本発明の無線受信機は、第１の周波数バンドの無線周波数信号と第２の周波数バンドの無線周波数信号とを受けて、それぞれをダウンコンバート及びＡ／Ｄ変換して、第１の周波数バンドのデジタル信号と第２の周波数バンドのデジタル信号とを出力する無線受信機であって、
前記第１の周波数バンドの無線周波数信号を第１の所定周波数でダウンコンバートして第１のアナログ信号を出力する第１の周波数変換部と、
前記第２の周波数バンドの無線周波数信号を前記第１の所定周波数とは異なる第２の所定周波数でダウンコンバートして第２のアナログ信号を出力する第２の周波数変換部と、
前記第１のアナログ信号と前記第２のアナログ信号とを合成して１つの合成アナログ信号を出力する合成部と、
前記合成アナログ信号をＡ／Ｄ変換して合成デジタル信号を出力するＡ／Ｄ変換部と、
前記合成デジタル信号を周波数シフト処理することにより、前記第１の周波数バンドのデジタル信号と前記第２の周波数バンドのデジタル信号とに分離してそれぞれを出力する分離部とを備えたものである。
【００１６】
また、本発明の無線受信機は、第１の周波数バンドと第２の周波数バンドによるＭｕｌｔｉ  Ｆｒｅｑｕｅｎｃｙ  Ｃｅｌｌ方式を用いた移動体通信の基地局を擬似して移動体通信端末と通信する擬似基地局装置に用いる無線受信機であって、
前記第１の周波数バンドの無線周波数信号を第１の所定周波数でダウンコンバートして第１のアナログ信号を出力する第１の周波数変換部と、
前記第２の周波数バンドの無線周波数信号を第２の所定周波数でダウンコンバートして第２のアナログ信号を出力する第２の周波数変換部と、
前記第１のアナログ信号と前記第２のアナログ信号とを合成して１つの合成アナログ信号を出力する合成部と、
前記合成アナログ信号をＡ／Ｄ変換して合成デジタル信号を出力するＡ／Ｄ変換部と、
前記合成デジタル信号を周波数シフト処理することにより、前記第１の周波数バンドのデジタル信号と前記第２の周波数バンドのデジタル信号とに分離してそれぞれを出力する分離部とを備え、
前記第１の所定周波数と前記第２の所定周波数は、前記第１の周波数バンドの中心周波数と前記第２の周波数バンドの中心周波数とに基づいた周波数であることを特徴とするものである。
【００１７】
また、本発明の無線受信方法は、第１の周波数バンドの無線周波数信号と第２の周波数バンドの無線周波数信号とを受けて、それぞれをダウンコンバート及びＡ／Ｄ変換して、第１の周波数バンドのデジタル信号と第２の周波数バンドのデジタル信号とを出力する無線受信方法であって、
前記第１の周波数バンドの無線周波数信号を第１の所定周波数でダウンコンバートして第１のアナログ信号を出力する第１の周波数変換段階と、
前記第２の周波数バンドの無線周波数信号を前記第１の所定周波数とは異なる第２の所定周波数でダウンコンバートして第２のアナログ信号を出力する第２の周波数変換段階と、
前記第１のアナログ信号と前記第２のアナログ信号とを合成して１つの合成アナログ信号を出力する合成段階と、
前記合成アナログ信号をＡ／Ｄ変換して合成デジタル信号を出力するＡ／Ｄ変換段階と、
前記合成デジタル信号を周波数シフト処理することにより、前記第１の周波数バンドのデジタル信号と前記第２の周波数バンドのデジタル信号とに分離してそれぞれを出力する分離段階とを備えたものである。
【発明の効果】
【００１８】
本発明は、複数の周波数バンドの信号を同時に受信する受信装置において、周波数バンドごとのＡ／Ｄ変換器を必要としない受信装置を提供することができる。
【図面の簡単な説明】
【００１９】
【図１】図１は、本発明の一実施形態に係る受信装置の機能ブロック図である。
【図２】図２は、本発明の一実施形態に係る周波数変換部の構成例を示す図である。
【図３】図３は、本発明の一実施形態に係る周波数変換部の他の構成例を示す図である。
【図４】図４は、本発明の一実施形態に係る受信装置における第１の周波数バンドの無線周波数信号と第２の周波数バンドの無線周波数信号の処理を示す図である。
【図５】図５は、本発明の一実施形態に係る表示・操作部で表示されるＰｒｉｍａｒｙ  ＦｒｅｑｕｅｎｃｙとＳｅｃｏｎｄａｒｙ  Ｆｒｅｑｕｅｎｃｙの設定画面の例である。
【図６】図６は、本発明の一実施形態に係る擬似基地局装置の処理手順を説明するフローチャートである。
【発明を実施するための形態】
【００２０】
以下、図面を参照して、本発明の実施形態に係る受信装置について詳細に説明する。
【００２１】
図１において、本発明の一実施形態に係る受信装置１は、第１の周波数バンドの無線周波数信号と第２の周波数バンドの無線周波数信号とを受けて、第１の周波数バンドのデジタル信号と第２の周波数バンドのデジタル信号とを出力するようになっている。
【００２２】
受信装置１は、周波数変換部１１−１、周波数変換部１１−２、合成部１２、Ａ／Ｄ変換部１３、分離部１４とを含んで構成され、さらに受信装置１は、設定部１６、表示部１７が制御部１５を介して接続されている。
【００２３】
周波数変換部１１−１は、入力される第１の周波数バンドの無線周波数信号を制御部１５からの指示に基づいた周波数（第１の所定周波数）でダウンコンバートして第１のアナログ信号として合成部１２に出力する。周波数変換部１１−２は、入力される第２の周波数バンドの無線周波数信号を制御部１５からの指示に基づいた周波数（第２の所定周波数）でダウンコンバートして第２のアナログ信号として合成部１２に出力する。周波数変換部１１−１と周波数変換部１１−２とは、同一の構成である。構成については後述する。
【００２４】
合成部１２は、周波数変換部１１−１から入力される第１のアナログ信号と周波数変換部１１−２から入力される第２のアナログ信号とを合成（加算）して合成アナログ信号としてＡ／Ｄ変換部１３に出力する。
【００２５】
Ａ／Ｄ変換部１３は、合成部１２から入力される合成アナログ信号を所定のサンプリングレートでデジタル信号に変換するＡ／Ｄ変換器である。変換されたデジタル信号は、合成デジタル信号として分離部１４に出力する。
【００２６】
分離部１４は、Ａ／Ｄ変換部１３から入力される合成デジタル信号に制御部１５からの指示の基いた周波数でデジタル信号処理（周波数シフト処理）を施すことにより、第１の周波数バンドのデジタル信号と第２の周波数バンドのデジタル信号に分離して出力する。
【００２７】
この周波数シフト処理により、分離された第１の周波数バンドのデジタル信号と第２の周波数バンドのデジタル信号は第１のアナログ信号と第２のアナログ信号をそれぞれ別のＡ／Ｄ変換器でデジタル信号に変換したものと等価の信号となる。
【００２８】
制御部１５は、表示・操作部１６からの設定情報に従って、周波数変換部１１−１、周波数変換部１１−２にダウンコンバートする周波数を指示し、分離部１４に周波数シフト処理の周波数を指示する。
【００２９】
表示・操作部１６は、キーボード、マウス、タッチパネル等の入力機器と、液晶ディスプレイ等の画像表示機器とで構成され、画像表示機器に表示された設定画面に入力機器を介して必要な情報を入力することにより制御部１５へ設定情報を設定する。
【００３０】
図２に、本発明の一実施形態に係る周波数変換部１１−１と周波数変換部１１−２の構成例を示す。前述のとおり周波数変換部１１−１と周波数変換部１１−２は同一の構成である。
【００３１】
図２に示すように、乗算器１１０と局部発振器１１１とを含んで構成される。入力される無線周波数信号は、乗算器１１０で局部発振器１１の出力と乗算され出力される。出力される信号（ダウンコンバート後のアナログ信号）の周波数は、入力される無線周波数信号の周波数と局部発振器１１の発振周波数の差の周波数となり、周波数が変換（ダウンコンバート）される。
【００３２】
図３に、本発明の一実施形態に係る周波数変換部１１−１と周波数変換部１１−２の他の構成を示す。図２の構成と数学的には等価となるように、局部発振器１１１−１と局部発振器１１１−２の発振周波数を設定して多段構成とすることも可能である。多段構成とすることで、部品点数や実装面積は増えることになるがイメージ周波数成分を防ぐことができる。
【００３３】
次に、受信装置１の処理を図４を用いて説明する。なお、以降の説明における周波数等の値は説明のための値であり、この値に限定されるものではない。
【００３４】
第１の周波数バンドの無線周波数信号として、中心周波数（ＲＦ１）が２０１０．８ＭＨｚ、帯域幅（ＢＷ１）が１．６ＭＨｚの信号が周波数変換部１１−１に入力される。この信号は発振周波数（ＬＦ１）が１９８６．６ＭＨｚに設定された局部発振器１１１の出力と乗算器１１０で乗算され、中心周波数（ＤＲＦ１）が２４．２ＭＨｚの信号（第１のアナログ信号）に周波数が変換（ダウンコンバート）される。
【００３５】
ここで、周波数の変換（ダウンコンバート）については、以下の式（１）の関係にある。
ＤＲＦ１＝ＲＦ１―ＬＦ１
＝２０１０．８−１９８６．６
＝２４．２（ＭＨｚ）        ．．．（１）
【００３６】
同様に、第２の周波数バンドの無線周波数信号として、中心周波数（ＲＦ２）が２０２０．８ＭＨｚ、帯域幅（ＢＷ２）が１．６ＭＨｚの信号が周波数変換部１１−２に入力される。この信号は発振周波数（ＬＦ２）が１９９５．０ＭＨｚに設定された局部発振器１１１の出力と乗算器１１０で乗算され、中心周波数（ＤＲＦ２）が２５．８ＭＨｚの信号（第２のアナログ信号）に周波数が変換（ダウンコンバート）される。
【００３７】
ここで、周波数の変換（ダウンコンバート）については、以下の式（２）の関係にある。
ＤＲＦ２＝ＲＦ２―ＬＦ２
＝２０２０．８−１９９５．０
＝２５．８（ＭＨｚ）        ．．．（２）
【００３８】
第１のアナログ信号と第２のアナログ信号は、合成部１２で合成（加算）され、中心周波数（ＡＤＤＲＦ）が２５．０ＭＨｚ、帯域幅（ＡＤＤＢＷ）が３．２ＭＨｚの信号（合成アナログ信号）となる。
【００３９】
この様に、第１のアナログ信号の帯域と第２のアナログ信号の帯域とが重なることのなく周波数軸上で隣に並ぶ様に、第１の周波数バンドの無線周波数信号を周波数変換（ダウンコンバート）する周波数と第２の周波数バンドの無線周波数信号を周波数変換（ダウンコンバート）する周波数とを設定しておくことにより、合成アナログ信号を１つのＡ／Ｄ変換器でデジタル信号に変換した場合でも、後述する周波数シフト処理により第１のアナログ信号と第２のアナログ信号をそれぞれ別のＡ／Ｄ変換器によりデジタル信号に変換したときと同じ様に分離することが可能となる。
【００４０】
ここで、以下の式（３）と（４）の関係がある。
ＡＤＤＲＦ＝（ＲＦ１＋ＲＦ２）÷２
＝（２４．２＋２５．８）÷２
＝２５．０（ＭＨｚ）        ．．．（３）
ＡＤＤＢＷ＝ＢＷ１＋ＢＷ２
＝１．６＋１．６
＝３．２（ＭＨｚ）        ．．．（４）
【００４１】
合成アナログ信号は、Ａ／Ｄ変換部１３でデジタル信号（合成デジタル信号）に変換される。
【００４２】
合成デジタル信号は、分離部１４で周波数シフト処理を施すことにより、第１の周波数バンドのデジタル信号と第２のデジタル信号に分離される。
【００４３】
このように、第１の周波数バンドの無線周波数信号と第２の周波数バンドの無線周波数信号を別々のＡ／Ｄ変換器を用いることなく１つのＡ／Ｄ変換器によりデジタル信号に変換できる。
【００４４】
次に、このような構成の受信装置１を、Ｍｕｌｔｉ  Ｆｒｅｑｕｅｎｃｙ  Ｃｅｌｌ方式を用いた移動体通信の基地局を擬似して移動体通信端末と通信する擬似基地局装置に用いる場合について動作例を図６により説明する。なお、各部の動作については、説明済みなので省略する。まず、ユーザにより擬似基地局装置がＭｕｌｔｉ  Ｆｒｅｑｕｅｎｃｙ  Ｃｅｌｌ方式で使用するＰｒｉｍａｒｙ  ＦｒｅｑｕｅｎｃｙとＳｅｃｏｎｄａｒｙ  Ｆｒｅｑｕｅｎｃｙの２つの周波数バンドが決定される（ＳＴ１）。
【００４５】
表示・操作部１６には、例えば図５に示すようなＰｒｉｍａｒｙ  ＦｒｅｑｕｅｎｃｙとＳｅｃｏｎｄａｒｙ  Ｆｒｅｑｕｅｎｃｙの設定画面を表示させて、２つの周波数バンドの中心周波数の設定を行わせる。
【００４６】
「Ｔｘ  Ｓｅｔｕｐ（ＤＬ）」が、擬似基地局装置から移動体通信端末への送信の際に使用する周波数バンドの設定欄であり、「Ｒｘ  Ｓｅｔｕｐ（ＵＬ）」が移動体端末からの受信の際に使用する周波数バンドの設定欄である。そして、「Ｐｒｉｍａｒｙ」は、Ｐｒｉｍａｒｙ  Ｆｒｅｑｕｅｎｃｙの設定欄であり、「Ｓｅｃｏｎｄａｒｙ」は、Ｓｅｃｏｎｄａｒｙ  Ｆｒｅｑｕｅｎｃｙの設定欄である。
【００４７】
「Ｐｒｉｍａｒｙ」と「Ｓｅｃｏｎｄａｒｙ」には、それぞれ「ＵＡＲＦＣＮ」と「Ｆｒｅｑｕｅｎｃｙ」の設定欄がある。「ＵＡＲＦＣＮ」はチャネル番号を利用して使用する周波数バンドの中心周波数を設定するための設定欄であり、「Ｆｒｅｑｕｅｎｃｙ」は周波数値により使用する周波数バンドの中心周波数を設定するための設定欄である。どちらも直接値を入力することも、上下の三角マークで値を増減して値を設定することも出来る。さらに、「ＵＡＲＦＣＮ」の設定値と「Ｆｒｅｑｕｅｎｃｙ」の設定値を連動させて、一方が変更されると対応する値に他方が変更されるようにすることも可能である。
【００４８】
また、「Ｒｘ  Ｓｅｔｕｐ（ＵＬ）」の「Ｓａｍｅ  ａｓ  ＤＬ  Ｆｒｅｑｕｅｎｃｙ」のチェックボックスにチェックを入れると、「Ｔｘ  Ｓｅｔｕｐ（ＤＬ）」の設定と同じ設定値が「Ｒｘ  Ｓｅｔｕｐ（ＵＬ）」に反映される。図５では、「Ｓａｍｅ  ａｓ  ＤＬ  Ｆｒｅｑｕｅｎｃｙ」のチェックボックスのチェックにより、「Ｔｘ  Ｓｅｔｕｐ（ＤＬ）」の設定値が「Ｒｘ  Ｓｅｔｕｐ（ＵＬ）」に反映されている状態を示している。なお、ＴＤ−ＳＣＤＭＡの場合は、帯域幅は１．６ＭＨｚであるので設定欄が図５に示す設定画面には無いが、設定欄を設けて変更が可能な様に構成しても良い。
【００４９】
受信装置１は、擬似基地局装置の受信側なので、「Ｒｘ  Ｓｅｔｕｐ（ＵＬ）」側の設定が使用されることになる。図５の様に設定された場合、Ｐｒｉｍａｒｙ  Ｆｒｅｑｕｅｎｃｙの周波数バンドとして中心周波数が２０１０．８ＭＨｚ、Ｓｅｃｏｎｄａｒｙ  Ｆｒｅｑｕｅｎｃｙの周波数バンドとして２０２０．８ＭＨｚが設定されている。帯域幅はどちらも１．６ＭＨｚである。
【００５０】
以降の説明では図４も用いるので、図５に示す設定と前述の受信装置１の処理についての説明との対応について述べる。Ｐｒｉｍａｒｙ  Ｆｒｅｑｕｅｎｃｙの周波数バンドが第１の周波数バンドに対応し、Ｓｅｃｏｎｄａｒｙ  Ｆｒｅｑｕｅｎｃｙの周波数バンドが第２の周波数バンドに対応する。
【００５１】
したがって、図５に示す設定は、第１の周波数バンドの無線周波数信号の中心周波数（ＲＦ１）が２０１０．８ＭＨｚであり、第２の周波数バンドの無線周波数信号の中心周波数（ＲＦ２）が２０２０．８ＭＨｚであり、前述の説明と同じ値となる。また、帯域幅（ＢＷ１）と帯域幅（ＢＷ２）についても１．６ＭＨｚであり、前述の説明と同じ値となる。
【００５２】
次に、表示・操作部１６により設定された情報に基づき、制御部１５は周波数変換部１１−１および周波数変換部１１−２により周波数の変換を行うための局部発振器１１１に設定するためのそれぞれの発振周波数（ＬＦ１）と発振周波数（ＬＦ２）を決定する（ＳＴ２）。
【００５３】
まず式（１）より、発振周波数（ＬＦ１）と第１の周波数バンドの無線周波数信号の中心周波数（ＲＦ１）との第１のアナログ信号の中心周波数（ＤＲＦ１）は式（５）の関係となる。同様に（２）より、発振周波数（ＬＦ２）と第２の周波数バンドの無線周波数信号の中心周波数（ＲＦ２）との第２のアナログ信号の中心周波数（ＤＲＦ２）は式（６）の関係となる。
ＬＦ１＝ＲＦ１−ＤＲＦ１        ．．．．（５）
ＬＦ２＝ＲＦ２−ＤＲＦ２        ．．．．（６）
【００５４】
そして、図４に示すように合成部１２から出力される合成アナログ信号が中心周波数（ＡＤＤＲＦ）の左に第１のアナログ信号、右に第２のアナログ信号が重ならないように並ぶ関係となる第１のアナログ信号の中心周波数（ＤＲＦ１）と第２のアナログ信号の中心周波数（ＤＲＦ２）は、それぞれ式（７）と式（８）の関係となる。
ＤＲＦ１＝ＡＤＤＲＦ−（ＢＷ１÷２）        ．．．．（７）
ＤＲＦ２＝ＡＤＤＲＦ＋（ＢＷ２÷２）        ．．．．（８）
【００５５】
ここで、合成アナログ信号の中心周波数（ＡＤＤＲＦ）は、Ａ／Ｄ変換部１３の仕様によってあらかじめ決まる固定値であり、この値を２５．０ＭＨｚとすると式（７）と式（８）より、ＤＲＦ１とＤＲＦ２はそれぞれ式（９）と式（１０）の値となる。
ＤＲＦ１＝ＡＤＤＲＦ−（ＢＷ１÷２）
＝２５．０−（１．６÷２）
＝２４．２（ＭＨｚ）        ．．．．（９）
ＤＲＦ２＝ＡＤＤＲＦ＋（ＢＷ２÷２）
＝２５．０＋（１．６÷２）
＝２５．８（ＭＨｚ）        ．．．．（１０）
【００５６】
よって、式（５）と式（６）より、ＬＦ１とＬＦ２はそれぞれ式（１１）と式（１２）の値に決定される。
ＬＦ１＝ＲＦ１−ＤＲＦ１
＝２０１０．８―２４．２
＝１９８６．６（ＭＨｚ）        ．．．．（１１）
ＬＦ２＝ＲＦ２−ＤＲＦ２
＝２０２０．８−２５．８
＝１９９５．９（ＭＨｚ）        ．．．．（１２）
【００５７】
制御部１５は、このように決定された発振周波数（ＬＦ１）を周波数変換部１１−１に指示し、発振周波数（ＬＦ２）を周波数変換部１１−２に指示する。指示を受けた周波数変換部１１−１と周波数変換部１１−２は、指示された周波数に局部発振器１１１の周波数を設定し動作させる。
【００５８】
周波数変換部１１−１は、入力される第１の周波数バンド（Ｐｒｉｍａｒｙ  Ｆｒｅｑｕｅｎｃｙの周波数バンド）の無線周波数信号を制御部１５からの指示に基づいた発振周波数（ＬＦ１）でダウンコンバートして第１のアナログ信号として合成部１２に出力する。周波数変換部１１−２は、入力される第２の周波数バンド（Ｓｅｃｏｎｄａｒｙ  Ｆｒｅｑｕｅｎｃｙの周波数バンド）の無線周波数信号を制御部１５からの指示に基づいた発振周波数（ＬＦ２）でダウンコンバートして第２のアナログ信号として合成部１２に出力する（ＳＴ３）。
【００５９】
合成部１２は、周波数変換部１１−１から入力される第１のアナログ信号と周波数変換部１１−２から入力される第２のアナログ信号とを合成（加算）して合成アナログ信号としてＡ／Ｄ変換部１３に出力する（ＳＴ４）。このとき、合成部１２から出力される合成アナログ信号は中心周波数（ＡＤＤＲＦ）の左に第１のアナログ信号、右に第２のアナログ信号が重ならないように並ぶ関係となるような発振周波数でダウンコンバートしているので、合成アナログ信号は図４のようになる。
【００６０】
Ａ／Ｄ変換部１３は、合成部１２から入力される合成アナログ信号を所定のサンプリングレートでデジタル信号に変換するＡ／Ｄ変換器である。変換されたデジタル信号は、合成デジタル信号として分離部１４に出力する（ＳＴ５）。
【００６１】
分離部１４は、Ａ／Ｄ変換部１３から入力される合成デジタル信号に制御部１５からの指示の基いた周波数でデジタル信号処理（周波数シフト処理）を施すことにより、第１の周波数バンドのデジタル信号と第２の周波数バンドのデジタル信号に分離して出力する（ＳＴ６）。
【００６２】
この周波数シフト処理により、分離された第１の周波数バンドのデジタル信号と第２の周波数バンドのデジタル信号は第１のアナログ信号と第２のアナログ信号をそれぞれ別のＡ／Ｄ変換器でデジタル信号に変換したものと等価の信号となる。
【００６３】
このように、第１の周波数バンド（Ｐｒｉｍａｒｙ  Ｆｒｅｑｕｅｎｃｙの周波数バンド）の無線周波数信号と第２の周波数バンド（Ｓｅｃｏｎｄａｒｙ  Ｆｒｅｑｕｅｎｃｙの周波数バンド）の無線周波数信号を別々のＡ／Ｄ変換器を用いることなく１つのＡ／Ｄ変換器によりデジタル信号に変換できる。
【００６４】
本発明の実施形態を開示したが、当業者によっては本発明の範囲を逸脱することなく変
更が加えられうることは明白である。すべてのこのような修正及び等価物が次の請求項に
含まれることが意図されている。
【符号の説明】
【００６５】
１  受信装置
１１−１、１１−２  周波数変換部
１２  合成部
１３  Ａ／Ｄ変換部
１４  分離部
１５  制御部
１６  表示・制御部
１１０、１１０−１、１１０−２  乗算器
１１１、１１１−１、１１１−２  局部発振器
【図１】
2018170716.tif 000003
【図２】
2018170716.tif 000004
【図３】
2018170716.tif 000005
【図４】
2018170716.tif 000006
【図５】
2018170716.tif 000007
【図６】
2018170716.tif 000008